(57)【要約】      （修正有）【課題】煩雑な手順を踏むこと無しに、画像処理条件を複数画像に反映させて、効率的に作業を行うことができる写真画像処理装置及び写真画像処理方法を提供する。【解決手段】入力された複数枚の写真画像を所定順序で表示する画像表示手段５０と、表示された写真画像から少なくとも一枚を選択して画像処理条件を設定する画像処理条件設定手段５１とを備えてなる写真画像処理装置１であって、前記画像処理条件設定手段５１で設定された画像処理条件を他の写真画像に対する画像処理条件として一括して反映させる一括設定手段５２を備え、前記一括設定手段５２は、前記画像処理条件設定手段５１で画像処理条件が設定された画像以降の表示順序の写真画像に一括して反映させる。【選択図】図３
2007243339.tif 000002
【特許請求の範囲】
【請求項１】
入力された複数枚の写真画像を所定順序で表示する画像表示手段と、表示された写真画像から少なくとも一枚を選択して画像処理条件を設定する画像処理条件設定手段とを備えてなる写真画像処理装置であって、
前記画像処理条件設定手段で設定された画像処理条件を他の写真画像に対する画像処理条件として一括して反映させる一括設定手段を備え、前記一括設定手段は、前記画像処理条件設定手段で画像処理条件が設定された画像以降の表示順序の写真画像に一括して反映させる写真画像処理装置。
【請求項２】
入力された複数枚の写真画像を所定順序で表示する画像表示手段と、表示された写真画像から少なくとも一枚を選択して画像処理条件を設定する画像処理条件設定手段とを備えてなる写真画像処理装置であって、
前記画像処理条件設定手段で設定された画像処理条件を他の写真画像に対する画像処理条件として一括して反映させる一括設定手段を備え、前記一括設定手段は、前記画像処理条件設定手段で画像処理条件が設定された写真画像以外の写真画像に対して一括して反映させる写真画像処理装置。
【請求項３】
入力された複数枚の写真画像を所定順序で表示する画像表示手段と、表示された写真画像から少なくとも一枚を選択して画像処理条件を設定する画像処理条件設定手段とを備えてなる写真画像処理装置であって、
前記画像処理条件設定手段で設定された画像処理条件を他の写真画像に対する画像処理条件として一括して反映させる一括設定手段を備え、前記一括設定手段における画像処理条件の反映対象を、前記画像処理条件設定手段で画像処理条件が設定された画像以降の表示順序の写真画像とするか、前記画像処理条件設定手段で画像処理条件が設定された写真画像以外の写真画像とするかを選択する反映対象選択手段を備えている写真画像処理装置。
【請求項４】
前記一括設定手段で一括反映させる画像処理条件を選択する画像処理条件選択手段を備えている請求項１から３の何れかに記載の写真画像処理装置。
【請求項５】
入力された複数枚の写真画像を所定順序で表示する画像表示ステップと、表示された写真画像から少なくとも一枚を選択して画像処理条件を設定する画像処理条件設定ステップとを備えてなる写真画像処理方法であって、
前記画像処理条件設定ステップで設定された画像処理条件を他の写真画像に対する画像処理条件として一括して反映させる一括設定ステップを備え、前記一括設定ステップは、前記画像処理条件設定ステップで画像処理条件が設定された画像以降の表示順序の写真画像に一括して反映させる写真画像処理方法。
【請求項６】
入力された複数枚の写真画像を所定順序で表示する画像表示ステップと、表示された写真画像から少なくとも一枚を選択して画像処理条件を設定する画像処理条件設定ステップとを備えてなる写真画像処理方法であって、
前記画像処理条件設定ステップで設定された画像処理条件を他の写真画像に対する画像処理条件として一括して反映させる一括設定ステップを備え、前記一括設定ステップは、前記画像処理条件設定ステップで画像処理条件が設定された写真画像以外の写真画像に対して一括して反映させる写真画像処理方法。
【請求項７】
入力された複数枚の写真画像を所定順序で表示する画像表示ステップと、表示された写真画像から少なくとも一枚を選択して画像処理条件を設定する画像処理条件設定ステップとを備えてなる写真画像処理方法であって、
前記画像処理条件設定ステップで設定された画像処理条件を他の写真画像に対する画像処理条件として一括して反映させる一括設定ステップを備え、前記一括設定ステップにおける画像処理条件の反映対象を、前記画像処理条件設定ステップで画像処理条件が設定された画像以降の表示順序の写真画像とするか、前記画像処理条件設定ステップで画像処理条件が設定された写真画像以外の写真画像とするかを選択する反映対象選択ステップを備えている写真画像処理方法。
【発明の詳細な説明】
【技術分野】
【０００１】
本発明は、入力された複数枚の写真画像を所定順序で表示する画像表示手段と、表示された写真画像から少なくとも一枚を選択して画像処理条件を設定する画像処理条件設定手段とを備えてなる写真画像処理装置に関する。
【背景技術】
【０００２】
通常、写真画像処理装置において、光学式カメラで撮影されたフィルム画像をスキャナで読み込み、或いは、デジタルスチルカメラで撮影され記憶媒体に格納された写真画像データを読み込んだデジタル画像データに基づいて、レーザ光学系等のデジタル露光ヘッドを駆動して印画紙を露光処理して写真プリントを得る際には、適正な写真プリントを得るために当該デジタル画像データに対してカラー補正や歪補正等の種々の画像補正処理が行なわれる。
【０００３】
このような画像補正処理では、写真画像処理装置の表示部に表示された操作画面に対するキーボードやマウス等による操作あるいはタッチパネル方式のモニタに表示された操作画面に対する押圧操作がオペレータによって実行されるが、かかる処理を容易かつ効率よく行うことを可能とするために、前記操作画面はグラフィカル・ユーザー・インターフェースにて提供されている。
【０００４】
前記画像補正処理を行うための操作画面として、前記グラフィカル・ユーザー・インターフェースによってプレジャッジ画面が提供されており、オペレータは、前記プレジャッジ画面において複数表示されている読み込まれた写真画像の中から、選択した写真画像に対して種々の画像補正処理を行うのであるが、オペレータがプレジャッジ画面において補正等の画像処理を行う際に、ある写真画像に対して行った画像処理の条件を他の写真画像にも反映させたい場合には、画像処理の条件を反映させたい写真画像を個別に選択する必要があり、操作性が悪いという問題があった。
【０００５】
上記の問題を解決するために、各々異なる複数の補正項目からなる補正グループと前記補正グループを識別可能な識別情報とを含むグループ情報を備えており、さらに、前記グループ情報を複数有するグループ補正テーブルを備えた写真画像処理装置であって、前記グループ補正テーブルの前記グループ情報に係る補正内容を、選択した写真画像に一括して反映可能な写真画像処理装置が提案されており、前記写真画像処理装置では、前記プレジャッジ画面で画像処理を行う際に、キーボードのＣｔｒｌキーを押しながら写真画像を選択することによって複数の写真画像を選択状態としてから、前記グループ情報に係る補正内容を反映させる処理を行うことで、複数の写真画像に対する一括処理を可能としていた。
【０００６】
【特許文献１】特開２００５−３３３２３０号公報
【発明の開示】
【発明が解決しようとする課題】
【０００７】
しかし、オペレータが実際に写真画像の補正等の作業を行う場合は、所定の順序（例えば、写真画像処理装置に写真画像が入力された順序）で作業を行うことが多く、このような状況で多数の写真画像に対して補正内容を反映させる場合に、上述の写真画像処理装置では多数の写真画像を一枚ずつ選択する必要があり効率がよくなかった。
【０００８】
本発明の目的は、上述した問題点に鑑み、煩雑な手順を踏むこと無しに、画像処理条件を複数画像に反映させて、効率的に作業を行うことができる写真画像処理装置及び写真画像処理方法を提供する点にある。
【課題を解決するための手段】
【０００９】
上述の目的を達成するため、本発明による画像処理方法の第一の特徴構成は、特許請求の範囲の書類の請求項１に記載した通り、入力された複数枚の写真画像を所定順序で表示する画像表示手段と、表示された写真画像から少なくとも一枚を選択して画像処理条件を設定する画像処理条件設定手段とを備えてなる写真画像処理装置であって、前記画像処理条件設定手段で設定された画像処理条件を他の写真画像に対する画像処理条件として一括して反映させる一括設定手段を備え、前記一括設定手段は、前記画像処理条件設定手段で選択された画像以降の表示順序の写真画像に一括して反映させる点にある。
【００１０】
通常、オペレータが写真画像の画像処理の作業を行う場合は、写真画像処理装置に画像が入力された順序で作業を行う。つまり、選択した画像より後に入力された画像は、未だ処理を行っていないことが一般的である。そのような未処理のコマ画像が処理の完了したコマ画像と類似するシーンであるような場合には、同様の補正処理等を繰り返す必要がある。しかし、上述の構成によれば、現時点より後に処理を行う予定の未処理画像に対して一括して画像処理条件を反映させることが可能なり、効率的に作業を行うことができるのである。
【００１１】
同第二の特徴構成は、同請求項２に記載した通り、入力された複数枚の写真画像を所定順序で表示する画像表示手段と、表示された写真画像から少なくとも一枚を選択して画像処理条件を設定する画像処理条件設定手段とを備えてなる写真画像処理装置であって、前記画像処理条件設定手段で設定された画像処理条件を他の写真画像に対する画像処理条件として一括して反映させる一括設定手段を備え、前記一括設定手段は、前記画像処理条件設定手段で画像処理条件が設定された写真画像以外の写真画像に対して一括して反映させる点にある。
【００１２】
選択した画像に対して施した画像処理条件と同一の条件を他の画像に反映させる場合、既に別の画像処理条件で画像処理を終了している画像に対しては上述の同一の条件を施す必要性が少ない。つまり、上述の構成によれば、選択した画像に対して施した画像処理条件と同一の条件を適用させる可能性が高い画像に対してのみ、一括して画像処理条件を反映させることが可能となり、効率的に作業を行うことができるのである。
【００１３】
同第三の特徴構成は、同請求項３に記載した通り、入力された複数枚の写真画像を所定順序で表示する画像表示手段と、表示された写真画像から少なくとも一枚を選択して画像処理条件を設定する画像処理条件設定手段とを備えてなる写真画像処理装置であって、前記画像処理条件設定手段で設定された画像処理条件を他の写真画像に対する画像処理条件として一括して反映させる一括設定手段を備え、前記一括設定手段における画像処理条件の反映対象を、前記画像処理条件設定手段で選択された画像以降の表示順序の写真画像とするか、前記画像処理条件設定手段で画像処理条件が設定された写真画像以外の写真画像とするかを選択する反映対象選択手段を備えている点にある。
【００１４】
例えば、複数枚の写真画像において、例外的な補正を行う必要がある写真画像が散在して存在している場合には、例外的な補正を先に実行し、例外的な補正を行う必要がある写真画像が存在していない場合や存在していても散在していない場合には、入力順で補正を実行する。つまり、入力された複数枚の写真画像の状態によって、画像処理条件を一括して反映するに当たっての対象画像が異なるので、上述の構成のように反映対象選択手段を備えることにより、最適な反映対象画像を選択することができるのである。
【００１５】
同第四の特徴構成は、同請求項４に記載した通り、上述の第一から第三の何れかの特徴構成に加えて、前記一括設定手段で一括反映させる画像処理条件を選択する画像処理条件選択手段を備えている点にある。
【００１６】
選択した画像に対して施した全ての画像処理条件を他の画像に反映させたい訳ではない場合、例えば、全ての画像に対する補正処理が終了したが、各画像で異なっているプリント枚数だけを全ての画像に対して一律としたい場合等は、修正したプリント枚数のみを全ての画像に対して一括して反映する必要がある。上述の構成によれば、上記の例のような場合に、画像処理条件選択手段にて処理枚数の条件のみ選択することで、他の処理条件を反映させることなく処理枚数のみを反映させることができるので、より柔軟性に富んだ画像処理条件の設定が可能となるのである。
【００１７】
本発明による画像処理方法の第一の特徴構成は、同請求項５に記載した通り、入力された複数枚の写真画像を所定順序で表示する画像表示ステップと、表示された写真画像から少なくとも一枚を選択して画像処理条件を設定する画像処理条件設定ステップとを備えてなる写真画像処理方法であって、前記画像処理条件設定ステップで設定された画像処理条件を他の写真画像に対する画像処理条件として一括して反映させる一括設定ステップを備え、前記一括設定ステップは、前記画像処理条件設定ステップで画像処理条件が設定された画像以降の表示順序の写真画像に一括して反映させる点にある。
【００１８】
同第二の特徴構成は、同請求項６に記載した通り、入力された複数枚の写真画像を所定順序で表示する画像表示ステップと、表示された写真画像から少なくとも一枚を選択して画像処理条件を設定する画像処理条件設定ステップとを備えてなる写真画像処理方法であって、前記画像処理条件設定ステップで設定された画像処理条件を他の写真画像に対する画像処理条件として一括して反映させる一括設定ステップを備え、前記一括設定ステップは、前記画像処理条件設定ステップで画像処理条件が設定された写真画像以外の写真画像に対して一括して反映させる点にある。
【００１９】
同第三の特徴構成は、同請求項７に記載した通り、入力された複数枚の写真画像を所定順序で表示する画像表示ステップと、表示された写真画像から少なくとも一枚を選択して画像処理条件を設定する画像処理条件設定ステップとを備えてなる写真画像処理方法であって、前記画像処理条件設定ステップで設定された画像処理条件を他の写真画像に対する画像処理条件として一括して反映させる一括設定ステップを備え、前記一括設定ステップにおける画像処理条件の反映対象を、前記画像処理条件設定ステップで画像処理条件が設定された画像以降の表示順序の写真画像とするか、前記画像処理条件設定ステップで画像処理条件が設定された写真画像以外の写真画像とするかを選択する反映対象選択ステップを備えている点にある。
【発明の効果】
【００２０】
以上説明した通り、本発明によれば、煩雑な手順を踏むこと無しに、画像処理条件を複数画像に反映させて、効率的に作業を行うことができる写真画像処理装置及び写真画像処理方法を提供することができるようになった。
【発明を実施するための最良の形態】
【００２１】
以下、本発明による画像処理装置及び画像処理方法を写真処理装置に適用した実施形態について説明する。図２に示すように、写真画像処理装置１は、印画紙Ｐに対して出力画像データに基づいた露光処理を行なうと共に露光された印画紙を現像処理する写真プリンタ２と、現像済みの写真フィルムＦから画像を読み込むフィルムスキャナ３１や、デジタルスチルカメラ等で撮影された画像データが格納されたメモリカード等の画像データ記憶メディアＭから画像データを読み取るメディアドライバ３２や、コントローラ３３としての汎用コンピュータ等を備え、入力された元画像としての写真画像に対するプリントオーダ情報を設定入力するとともに、各種の画像補正処理を行なう操作ステーション３を備えて構成され、前記操作ステーション３で元画像から編集処理されたプリントデータが前記写真プリンタ２に出力されて所望の写真プリントが生成される。
【００２２】
前記写真プリンタ２は、図２及び図３に示すように、ロール状の印画紙Ｐを収容した二系統の印画紙マガジン２１と、前記印画紙マガジン２１から引き出された印画紙Ｐを所定のプリントサイズに切断するシートカッター２２と、切断後の印画紙Ｐの背面にコマ番号等のプリント情報を印字するバックプリント部２３と、前記プリントデータに基づいて印画紙Ｐを露光する露光部２４と、露光後の印画紙Ｐを現像、漂白、定着するための各処理液が充填された複数の処理槽２５ａ、２５ｂ、２５ｃを備えた現像処理部２５が印画紙Ｐの搬送経路に沿って配置され、現像処理後に乾燥処理された印画紙Ｐが排出される横送りコンベア２６と、横送りコンベア２６に集積された複数枚の印画紙（写真プリント）Ｐがオーダー単位で仕分けられるソータ２７を備えて構成される。
【００２３】
前記露光部２４には、前記搬送機構２８によって副走査方向に搬送される印画紙Ｐに対して、搬送方向に直交する主走査方向に前記プリントデータに基づき変調されたＲＧＢ三色の光線束を出力して露光する露光ヘッド２４ａが収容されている。
【００２４】
前記搬送経路に沿って配置された前記露光部２４や現像処理部２５に応じたプロセス速度で印画紙Ｐを搬送する複数のローラ対でなる搬送機構２８が配置され、前記露光部２４の前後には印画紙Ｐを複列に搬送可能なチャッカー式搬送機構２８ａが設けられている。
【００２５】
前記操作ステーション３に設けられたコントローラ３３には、汎用のオペレーティングシステムの管理下で動作し、前記写真処理装置１の各種制御が実行されるアプリケーションプログラムがインストールされ、オペレータとの操作インターフェースとしてモニタ３４、キーボード３５、マウス３６等が接続されている。
【００２６】
前記コントローラ３３のハードウェア及びソフトウェアの協同により実行される写真処理プロセスを機能ブロックで説明すると、図１に示すように、前記フィルムスキャナ３１やメディアドライバ３２によって読み取られた元画像としての写真画像を受け取り、所定の前処理を行なって後述のメモリ４１に転送する画像入力部４０と、前記モニタ３４の画面にプリントオーダ情報や画像編集情報を表示するとともに、それらに対して必要なデータ入力のための操作用アイコンを表示するグラフィック操作画面の生成や、表示されたグラフィック操作画面に対する前記キーボード３５やマウス３６からの入力操作に基づいて各種の制御コマンドを生成するグラフィカルユーザーインターフェース部４２と、前記画像入力部４０から転送される元画像データ及び後述の画像処理部４７による補正処理後の補正画像データやそのときの処理パラメータ、更には設定されたプリントオーダ情報等が区画されて格納されるメモリ４１と、プリントオーダ情報を生成するオーダー処理部４３と、前記メモリ４１に格納された元画像に対して階調補正、カラー補正、拡縮処理、歪補正等の各種の補正を行なう画像処理部４７と、前記グラフィカルユーザーインターフェース部４２からの表示コマンドに基づいて前記メモリ４１に展開された元画像や補正画像データ、更には各種の入出力用グラフィックデータ等を前記モニタ３４に表示処理するビデオＲＡＭ等を備えた表示制御部４６と、各種の補正処理が終了した最終の補正画像を前記写真プリンタ２に出力するためのプリントデータを生成するプリントデータ生成部４４と、顧客のオーダーに応じて最終の補正画像をＣＤ−Ｒ等の記憶媒体に書き込むためのファイル形式に変換するフォーマッタ部４５等で構成される。
【００２７】
前記フィルムスキャナ３１は、フィルムＦに記録された画像を低解像度ではあるものの高速で読み取るプレスキャンモードと、低速ではあるものの高解像度で読み取る本スキャンモードの二モードで作動するように構成され、プレスキャンモードで読み込まれた低解像度の画像に対して各種の補正処理が行なわれ、その際に前記メモリ４１に記憶された補正パラメータに基づいて本スキャンモードで読み込まれた高解像度の画像に対する最終の補正処理が実行される。同様に、前記メディアドライバ３２から読み込まれた画像ファイルには高解像度の撮影画像とそのサムネイル画像が含まれ、サムネイル画像に対して各種の補正処理が行なわれ、その際に前記メモリ４１に記憶された補正パラメータに基づいて高解像度の撮影画像に対する最終の補正処理が実行される。尚、画像ファイルにサムネイル画像が含まれないときには、前記画像入力部４０で高解像度の撮影画像からサムネイル画像が生成されて前記メモリ４１に転送される。このように、低解像度の画像に対して頻繁に試行錯誤される各種の編集処理が実行されることによりコントローラ３３の演算負荷が低減されるように構成されている。
【００２８】
前記グラフィカルユーザーインターフェース部４２は、入力された複数枚の写真画像を所定順序で表示する画像表示手段５０と、表示された写真画像から少なくとも一枚を選択して画像処理条件を設定する画像処理条件設定手段５１と、前記画像処理条件設定手段５１で設定された画像処理条件を他の写真画像に対する画像処理条件として一括して反映させる一括設定手段５２と、前記一括設定手段５２で一括反映させる画像処理条件を選択する画像処理条件選択手段５３を備えて構成されている。
【００２９】
前記画像表示手段５０は、入力された複数枚の写真画像を所定順序で表示するように構成されている。詳述すると、前記写真画像処理装置１を起動したとき、前記モニタ３４には図４に示すようなオーダー画面が表示される。この状態において、顧客のプリント注文に対応してオペレータが前記フィルムスキャナ３１にフィルムＦをセットしてプレスキャンモードで作動させるか、または撮影画像ファイルが格納されたメモリカードＭをメディアドライバ３２にセットすると、前記画像表示手段５０は、読み込まれたコマ画像を前記画像入力部４０経由で前記メモリ４１にロードさせて、図５に示すようなプレジャッジ画面を前記モニタ３４に表示させる。
【００３０】
プレジャッジ画面は複数のページで構成されており、一のページには、図５に示すように、６コマの写真画像６０ａから６０ｆが上下二段の画像表示枠６０に表示され、各画像表示枠６０の下部に色濃度補正設定領域６１、プリント枚数設定領域６２等が配置されている。また、前記プレジャッジ画面を別ページのプレジャッジ画面へ遷移させるには、例えば、画面上でマウス３６を右クリックして表示されるメニューを選択することによって遷移させるように構成されている。
【００３１】
また、プレジャッジ画面において全ての画像の設定が完了すると、画面表示がプレジャッジ画面からオーダー画面に戻るように構成されている。
【００３２】
前記画像処理条件設定手段５１は、表示された写真画像から少なくとも一枚を選択して画像処理条件を設定するように構成されており、詳述すると、図５に示す前記プレジャッジ画面において、前記画像表示枠６０に表示された写真画像６０ａから６０ｆの下部に設けられた前記色濃度補正設定領域６１を操作することによって画像処理条件を設定する。尚、前記色濃度補正設定領域６１を操作するか、または前記画像表示枠６０の一つを前記マウス３６でクリック（またはダブルクリック）することによって、クリックされた前記画像表示枠６０に表示されている写真画像が選択された状態となる。
【００３３】
前記色濃度補正設定領域６１には、イエロー、マゼンダ、シアンの各カラーバランス調整アイコン６１ａ〜６１ｃと濃度調整アイコン６１ｄが表示され、各アイコンを前記マウス３６でクリックすると‐３（最淡）、−２、−１、０、１、２、３（最濃）のプルダウンメニューが表示され、該当するレベルを選択するとその選択値がアイコン表面に表示され、当該表示枠に表示される補正後の画像を目視して補正の程度を評価できるように構成されている。尚、補正無しのときにはニュートラル表示Ｎが表示される。また、前記プリント枚数設定領域６２にはプリント枚数設定アイコン６２ａが表示され、当該アイコン６２ａをクリックして表示される設定枠にキーボード３５を介して数値入力するとプリント枚数が設定される。
【００３４】
前記一括設定手段５２は、前記画像処理条件設定手段５１で設定された画像処理条件を他の写真画像に対する画像処理条件として一括して反映させるように構成されている。詳述すると、図５に示す前記プレジャッジ画面において、ホールドボタン６３を前記マウス３６でクリックすると、前記画像処理条件設定手段５１で選択されている写真画像に対して設定された画像処理条件を、当該写真画像以降の表示順序の写真画像に一括して反映させるように構成されている。
【００３５】
例えば、図５に示す前記プレジャッジ画面で写真画像６０ｂが選択されている状態において、前記ホールドボタン６３を前記マウス３６でクリックすると、前記写真画像６０ｂ以降の表示順序の写真画像、つまり、前記写真画像６０ｂに加えて、図５で表示されている写真画像６０ｃから６０ｆおよび図５のプレジャッジ画面以降のページのプレジャッジ画面に表示された写真画像（写真画像６０ｆの次順序に相当する図示しない写真画像６０ｇ以降の写真画像）に、前記写真画像６０ｂに対して設定された画像処理条件が反映される。
【００３６】
上述の例（以下、一回目の画像処理反映と記す）で写真画像６０ｃ以降の写真画像が反映された後に、写真画像６０ｄを選択して前記ホールドボタン６３を前記マウス３６でクリックすると、前記写真画像６０ｄ以降の表示順序の写真画像、つまり、前記写真画像６０ｄに加えて、図５で表示されている写真画像６０ｅから６０ｆおよび図５のプレジャッジ画面以降のページのプレジャッジ画面に表示された写真画像（写真画像６０ｆの次順序に相当する図示しない写真画像６０ｇ以降の写真画像）に、前記写真画像６０ｄに対して設定された画像処理条件が反映される（以下、二回目の画像処理反映と記す）。
【００３７】
つまり、上述の二つの例の実行後の画像処理反映の状態は、写真画像６０ｂと６０ｃには、一回目の画像処理反映における画像処理条件が設定されており、写真画像６０ｄ以降の写真画像には、二回目の画像処理反映における画像処理条件が一回目の画像処理反映における画像処理条件に上書きされて設定されている。尚、写真画像６０ａは、上述の二つの例の何れにおいても選択されておらず且つ選択された写真画像６０ｂと６０ｄの何れよりも前の順序であることから、一回目と二回目の何れの画像処理反映も成されていない。
【００３８】
前記画像処理条件選択手段５３は、前記一括設定手段５２で一括反映させる画像処理条件を選択するように構成されている。詳述すると、図５に示す前記プレジャッジ画面において、プレジャッジ機能ボタン６４を前記マウス３６でクリックすると、図６に示すようなプレジャッジ機能画面が、前記プレジャッジ画面上にウィンドウ表示される。
【００３９】
前記プレジャッジ機能画面には、前記写真画像処理装置１が機能として有している画像処理条件がメニュー形式で表示されており、プレジャッジ画面において選択されている写真画像に対して設定可能な画像処理条件が選択可能（図６にＡとして表示）に、設定不可能な画像処理条件のメニューが選択不可能（図６にＢとして表示）になっている。
【００４０】
また、前記プレジャッジ機能画面に表示された画像処理条件のうち、図６に「Ｃ」として示すようにメニューの名称に「コピー」が付されているメニューは、前記ホールドボタン６３を前記マウス３６でクリックすることによって、他の写真画像に対する画像処理条件として一括して反映するメニューとなっている。
【００４１】
例えば、図５に示す前記プレジャッジ画面で写真画像６０ｂが選択されている状態において、前記プレジャッジ機能ボタン６４が前記マウス３６でクリックされると、図６に示す前記プレジャッジ機能画面が表示され、前記プレジャッジ機能画面において「プリントサイズコピー」と「Ｙ補正コピー」のメニューを選択してから前記プレジャッジ画面において前記ホールドボタンを前記マウス３６でクリックすると、写真画像６０ｂのプリントサイズとＹ補正の設定値が写真画像６０ｂ以降の表示順序の写真画像に一括して反映される。
【００４２】
尚、前記プレジャッジ機能画面は、画面右下のキャンセルボタン８０を前記マウス３６でクリックすると画面が閉じられる。
【００４３】
以下、別実施形態について説明する。上述の実施形態では、一括設定手段５２は、画像処理条件設定手段５１で選択されている写真画像に対して設定された画像処理条件を、前記画像処理条件設定手段５１で設定された当該写真画像以降の表示順序の写真画像に一括して反映させる構成について説明したが、前記一括設定手段５２は、画像処理条件設定手段５１で画像処理条件が設定された写真画像以外の写真画像に対して一括して反映させるように構成されていてもよい。
【００４４】
例えば、図５に示すプレジャッジ画面で、写真画像６０ｃと６０ｄのみ少なくとも一種類の画像処理条件が設定されており、その他の写真画像は画像処理条件が全く設定されていない状態で、写真画像６０ｂが選択されている場合に、前記ホールドボタン６３を前記マウス３６でクリックすると、前記写真画像６０ｃと６０ｄ以外の写真画像に、前記写真画像６０ｄに対して設定された画像処理条件が反映される。
【００４５】
上述の実施形態では、一括設定手段５２は、画像処理条件を反映させる対象を予め規定された方法で決定する形態について説明したが、前記一括設定手段５２は、前記一括設定手段５２における画像処理条件の反映対象を、前記画像処理条件設定手段５１で画像処理条件が設定された写真画像以降の表示順序の写真画像とするか、前記画像処理条件設定手段５１で画像処理条件が設定された写真画像以外の写真画像とするかを選択する反映対象選択手段５２１を備えて構成されていてもよい。
【００４６】
例えば、反映対象選択手段５２１は、図７に示す機能選択画面に表示されるプルダウンメニュー６６として表されており、前記プルダウンメニュー６６の右端の下矢印キー６７をマウス３６でクリックすることで、画像処理条件を反映させる方法の一覧を表示する構成となっている。本実施形態における方法の一覧としては、「選択された画像以降の表示順序の写真画像」と「画像処理条件が設定された写真画像以外の写真画像」が挙げられる。何れかの方法を選択すると、図５に示すプレジャッジ画面においてホールドボタン６３を前記マウス３６でクリックした際の画像処理条件の反映対象が、選択した方法に従って決定される。
【００４７】
前記機能選択画面は、本実施形態においては、図４に示すオーダー画面から呼び出すように構成されている。詳述すると、前記オーダー画面において画面右下に表示されているオーダー機能ボタン６８を前記マウス３６でクリックすると、図８に示すようにオーダー機能画面Ｄが、前記オーダー画面上にウィンドウ表示され、前記オーダー機能画面Ｄにおいてメニューボタン６９を前記マウス３６でクリックすると、図９に示すようなメニュー画面が表示され、前記メニュー画面において拡張メニューボタン７０を前記マウス３６でクリックすると、図１０に示すような拡張メニュー画面が表示され、前記拡張メニュー画面において機能選択ボタン７０を前記マウス３６でクリックすると、図７に示すような前記機能選択画面が表示される。
【００４８】
図７から図１０の画面は、各々の画面右下のキャンセルボタン８０を前記マウス３６でクリックすると画面が閉じられて、一つ手前の画面に戻るように構成されている。
【００４９】
上述の実施形態において、前記反映対象選択手段５２１を備えた実施形態における方法の一覧には、上述した二種類の方法以外の方法が表示されている構成であってもよい。例えば、方法の一覧として上述の二種類の方法に加えて「全ての画像」が表示される構成となっている場合に「全ての画像」を選択すると、図５に示すプレジャッジ画面においてホールドボタン６３を前記マウス３６でクリックした際の画像処理条件の反映対象が、読み込まれた全ての画像となる。
【００５０】
上述の実施形態では、本発明による画像処理方法を写真画像処理装置に適用した実施形態について説明したが、前記画像処理方法をアプリケーションプログラムとしてコンピュータにインストールし、前記コンピュータ上で画像処理を実行する構成であっても良い。
【００５１】
即ち、前記コンピュータを、入力された複数枚の写真画像を所定順序で表示する画像表示手段と、表示された写真画像から少なくとも一枚を選択して画像処理条件を設定する画像処理条件設定手段と、前記画像処理条件設定手段で設定された画像処理条件を他の写真画像に対する画像処理条件として一括して反映させる一括設定手段として機能させるための画像処理プログラムとして複製されるように構成されていてもよい。
【００５２】
また、前記画像処理プログラムに加えて、前記一括設定手段で一括反映させる画像処理条件を選択する画像処理条件選択手段として機能させるための画像処理プログラムとして複製されるように構成されていてもよい。
【００５３】
尚、上述した実施形態は、本発明の一例に過ぎず、本発明の作用効果を奏する範囲において各ブロックの具体的構成等を適宜変更設計できることは言うまでもない。
【図面の簡単な説明】
【００５４】
【図１】写真画像処理装置の機能ブロック構成図
【図２】写真画像処理装置の外観説明図
【図３】写真プリンタのブロック構成図
【図４】モニタの表示画面（オーダー画面）説明図
【図５】モニタの表示画面（プレジャッジ画面）説明図
【図６】モニタの表示画面（プレジャッジ機能画面）説明図
【図７】モニタの表示画面（機能選択画面）説明図
【図８】モニタの表示画面（オーダー機能画面）説明図
【図９】モニタの表示画面（メニュー画面）説明図
【図１０】モニタの表示画面（拡張メニュー画面）説明図
【符号の説明】
【００５５】
１：写真画像処理装置
４２：グラフィカルユーザーインターフェース部
５０：画像表示手段
５１：画像処理条件設定手段
５２：一括設定手段
５３：画像処理条件選択手段
５２１：反映対象選択手段
【図１】
2007243339.tif 000003
【図２】
2007243339.tif 000004
【図３】
2007243339.tif 000005
【図４】
2007243339.tif 000006
【図５】
2007243339.tif 000007
【図６】
2007243339.tif 000008
【図７】
2007243339.tif 000009
【図８】
2007243339.tif 000010
【図９】
2007243339.tif 000011
【図１０】
2007243339.tif 000012